(57)【特許請求の範囲】
【請求項１】
上下方向に設置されると共に、メインプレート及び摺動レールを備え、該摺動レールは、メインプレートの前側に凸設され、その前開口及び該前開口と連通する摺動溝を備える、レール部材と、
前記レール部材に取り付けられ、長手方向の両側から中央部分へ行くにつれて表面側へ膨らむように湾曲して摺動溝に向かって延出する、位置決めプレートと、
摺動可能に前記レール部材に設置されると共に、摺動座及び延出部を備え、その内、摺動座が、位置決めプレートと当接しながら、摺動レールの摺動溝に嵌設され、該延出部は、手工具を保持するものであり、摺動レールの摺動溝から突出するように摺動座の前側に凸設される、少なくとも１つの位置決め部材と、
前記位置決めプレートと位置決め部材との間に設置され、複数の第一係合部及び第二係合部を備え、そのうち、該複数の第一係合部が間隔をおいて位置決めプレートの前側中央に形成され、該第二係合部が位置決め部材の摺動座の底部に設けられ、選択可能にそれらの第一係合部のうちの１つに係合される、前記位置決め部材を位置決めプレートに位置決めてレール部材に対して摺動しないようにするための係合構造と、を有することを特徴とする位置調整式手工具ホルダ。
【請求項２】
前記レール部材のメインプレートの後側に結合レールが設けられ、該結合レールは、連通開口及び結合溝を備え、その内、連通開口は、摺動溝と連通するようにメインプレートの後側に形成され、該結合溝は、連通開口と連通するように結合レールとメインプレートとの間に形成され、
前記位置決めプレートは、レール部材の結合レールに取り付けられ、長手方向の両側にそれぞれ該結合レールに嵌め込まれる結合バーが設けられ、また、該位置決めプレートの長手方向の両側から中央部分へ行くにつれて表面側へ膨らむように湾曲し、該結合レールの連通開口から突出し、さらに、該位置決めプレートの後側の中央部分に、該結合レールの結合溝と連通する凹部が凹設され、
前記位置決め部材の摺動座は、該位置決めプレートの前側に当接しつつ摺動レールの摺動溝に面することを特徴とする請求項１に記載の位置調整式手工具ホルダ。
【請求項３】
前記少なくとも１つの第一係合部は、弧状を呈し、位置決めプレートの前側中央に形成される係合溝であり、一方、前記第二係合部は、位置決め部材の摺動座の底部に凸設される係合リングであり、該係合リングが選択可能に該係合溝に係合されることを特徴とする請求項２に記載の位置調整式手工具ホルダ。
【請求項４】
少なくとも１対の位置決め部材を有し、該各位置決め部材の延出部は、摺動座に凸設される挟持アームであり、該挟持アームの自由端は、前開口を通過して摺動レールから突出し、該自由端にフックが設けられ、該各対の位置決め部材のフックが対向するように設けられることを特徴とする請求項２に記載の位置調整式手工具ホルダ。
【請求項５】
前記位置決め部材の摺動座は、矩形のブロックであり、回転不能に摺動レールの摺動溝に設置されることを特徴とする請求項４に記載の位置調整式手工具ホルダ。
【請求項６】
前記係合構造における第一係合部は、位置決めプレートの前側の中央部分に凹設される細長状の係合溝であり、一方、該第二係合部は、摺動座の後側に凸設される係合溝に係合する係合リブであり、これにより、位置決め部材を位置決めプレートに位置決めてレール部材に対する摺動を防止することを特徴とする請求項５に記載の位置調整式手工具ホルダ。
【請求項７】
さらに、レール延設部材及び位置決め延設プレートを有し、
そのうち、該レール延設部材は、レール部材と平行するように連結板を介してレール部材に組み合わされると共に、メインプレート及び摺動レールを備え、該摺動レールは、該メインプレートの前側に凸設され、前開口及び該前開口と連通する摺動溝を備え、
前記位置決め延設プレートは、レール延設部材に嵌め込まれ、長手方向の両側から中央部分へ行くにつれて表面側へ膨らむように湾曲して摺動溝１２２に向かって延出し、
前記レール部材及びレール延設部材における結合レールの近傍にそれぞれ結合穴が形成され、
前記位置決めプレート、位置決め延設プレートの一端は封止状態であり、該封止端の底面に係合凸部が凸設され、該係合凸部はそれぞれ、対応するレール部材、レール延設部材の結合穴に係合されることを特徴とする請求項２に記載の位置調整式手工具ホルダ。
【請求項８】
前記各位置決め部材における摺動座は、矩形のブロックであり、回転不能にレール部材またはレール延設部材に設置され、延出部は、該摺動座に凸設される中空状のブロックであり、少なくとも１つの工具穴と、工具溝と、スリットを備え、そのうち、少なくとも１つの工具穴が延出部の両側の壁に形成されて、スクリュードライバの棒体を挟持し、該工具溝は、工具穴と連通するように延出部の両側の壁に形成され、該スリットは、工具穴と連通するように、延出部における、工具溝と反対する側の前端面かつ両側の壁に形成されることを特徴とする請求項７に記載の位置調整式手工具ホルダ。
【請求項９】
さらに、前記レール部材に組み合わされるフレームを有し、該フレームは、第一支持台と、２つの支持フレームと、２つの挟持板と、第二支持台とを備え、該第一支持台は、レール部材の一端に取り付けられ、該２つの支持フレームはそれぞれ、レール部材の両側に位置しながら第一支持台に結合され、該挟持板は、２つの支持フレームに取り付けられ、該挟持板の上面に支持フレームに向かって延出する複数の挟持爪が設けられ、該第二支持台は、両側の該支持フレームと連接するようにレール部材の他端に取り付けられ、また、該第二支持台の長さは該第一支持台の長さよりも長く、第一支持台と、第二支持台と、２つの支持フレームとにより台形のフレームが構成されることを特徴とする請求項２に記載の位置調整式手工具ホルダ。
【請求項１０】
前記各位置決め部材における摺動座は、矩形のブロックであり、回転不能にレール部材またはレール延設部材に設置され、延出部は、該摺動座の前側に凸設される弾性アームであり、湾曲部及び制限部を備え、その内、湾曲部は、摺動レールに突出する自由端を有し、摺動座の前側に湾曲状に凸設され、該制限部は、湾曲部の自由端に凸設されることを特徴とする請求項９に記載の位置調整式手工具ホルダ。
【発明の詳細な説明】
【技術分野】
【０００１】
本発明は、特に位置調整式手工具ホルダに関するものである。
【背景技術】
【０００２】
図１７に示すように、既存の位置調整式手工具ホルダ８０は、複数のレール部材８１と、該複数のレール部材８１に摺動可能に取り付けられる位置決め座８２を有し、そのうち、該レール部材８１は、上下方向に設置され、その前側にレール８１１が設けられ、そのレール８１１に該位置決め座８２が摺動可能に取り付けられる。この構成によれば、ソケットや、レンチ、ドライバなどの作業工具を位置決め座８２に係合することにより、位置調整式手工具ホルダ８０のレール部材８１に収納することができる。
【０００３】
既存の位置調整式手工具ホルダ８０には、各位置決め座８２の底部に、レール８１１に取り付ける円盤状の摺動台８２１が設けられ、該摺動台８２１にレール８１１から突出するように位置する四角柱の設置座８２２が延設され、該摺動台８２１は、円形を呈し、摺動可能にレール部材８１のレール８１１に取り付けられる。
【０００４】
前記ソケット９０を、位置決め座８２の設置座８２２に嵌め込んで固定する時は、該設置座８２２が四角柱を呈することから、ソケット９０が設置座８２２に対して回転することができないので、その円形の摺動台８２１がレール８１１に対して回転することができることから、ソケット９０の寸法またはマークを使用者側に面するように調整することができる。そのため、使用者がソケット９０の寸法を一目で知り、所望の手工具を簡単に選ぶことができる。
【先行技術文献】
【特許文献】
【０００５】
【特許文献１】台湾特許第Ｉ４６００６０号明細書
【特許文献２】米国特許第９，１２６，３２９明細書
【発明の概要】
【発明が解決しようとする課題】
【０００６】
上述したように、既存の位置調整式手工具ホルダは、ソケットを回転させて調整することはできるが、各位置決め座の摺動台がレールに位置決めるための構造を有しないことから、寸法の大きいソケットを位置決め座の設置座に嵌め込むと、レール部材が上下方向に設置されていることから、該ソケットの重さによってソケットと位置決め座がレールに沿って下方へ移動して下側の位置決め座と接近してしまい、その結果、上方のソケットが下方のソケットと衝突しながらレール部材の下部に集まってしまうので、ソケットの寸法を確認できなくなる。
【０００７】
また、下方のソケットを取り外すと、上方のソケットが下方に移動して下方の位置決め座との距離が近くなることから、ソケットを使用した後、位置調整式手工具ホルダに掛け戻す時、上方のソケットをやや上方へ押し上げて位置決め座との距離を離さないと、ソケットを位置決め座に嵌め込むことができないので、使用上、非常に不便であった。
【０００８】
一方、既存の位置調整式手工具ホルダにレンチまたはドライバを収納する時は、それらの位置決め座の摺動台がレール部材のレールに対して回転したり移動したりすることから、隣り合う２つの位置決め座がレンチまたはドライバを安定してレール部材に固定することができなく、実用性に劣るので、改良する必要があった。
【課題を解決するための手段】
【０００９】
本発明の位置調整式手工具ホルダは、
上下方向に設置されると共に、メインプレート及び摺動レールを備え、該摺動レールは、メインプレートの前側に凸設され、その前開口及び該前開口と連通する摺動溝を備える、レール部材と、
前記レール部材に取り付けられ、長手方向の両側から中央部分へ行くにつれて表面側へ膨らむように湾曲して摺動溝に向かって延出する、位置決めプレートと、
摺動可能に前記レール部材に設置されると共に、摺動座及び延出部を備え、その内、摺動座が、位置決めプレートと当接しながら、摺動レールの摺動溝に嵌設され、該延出部は、手工具を保持するものであり、摺動レールの摺動溝から突出するように摺動座の前側に凸設される、少なくとも１つの位置決め部材と、
前記位置決めプレートと位置決め部材との間に設置され、複数の第一係合部及び第二係合部を備え、そのうち、複数の第一係合部が間隔をおいて位置決めプレートの前側中央に形成され、該第二係合部が位置決め部材の摺動座の底部に設けられ、選択可能にそれらの第一係合部のうちの１つに係合される、前記位置決め部材を位置決めプレートに位置決めてレール部材に対して摺動しないようにするための係合構造と、を有するものである。
【００１０】
かかる位置調整式手工具ホルダにおいて、
前記レール部材のメインプレートの後側に結合レールが設けられ、該結合レールは、連通開口及び結合溝を備え、その内、連通開口は、摺動溝と連通するようにメインプレートの後側に形成され、該結合溝は、連通開口と連通するように結合レールとメインプレートとの間に形成され、
前記位置決めプレートは、レール部材の結合レールに取り付けられ、長手方向の両側にそれぞれ該結合レールに嵌め込まれる結合バーが設けられ、また、該位置決めプレートの長手方向の両側から中央部分へ行くにつれて表面側へ膨らむように湾曲し、該結合レールの連通開口から突出し、さらに、該位置決めプレートの後側の中央部分に、該結合レールの結合溝と連通する凹部が凹設され、
前記位置決め部材の摺動座は、該位置決めプレートの前側に当接しつつ摺動レールの摺動溝に面することが好ましい。
【００１１】
かかる位置調整式手工具ホルダにおいて、
前記少なくとも１つの第一係合部は、弧状を呈し、位置決めプレートの前側中央に形成される係合溝であり、一方、前記第二係合部は、位置決め部材の摺動座の底部に凸設される係合リングであり、該係合リングが選択可能に該係合溝に係合されることが好ましい。
【００１２】
かかる位置調整式手工具ホルダにおいて、
少なくとも１対の位置決め部材を有し、該各位置決め部材の延出部は、摺動座に凸設される挟持アームであり、該挟持アームの自由端は、前開口を通過して摺動レールから突出し、該自由端にフックが設けられ、該各対の位置決め部材のフックが対向するように設けられることが好ましい。
【００１３】
かかる位置調整式手工具ホルダにおいて、
前記位置決め部材の摺動座は、矩形のブロックであり、回転不能に摺動レールの摺動溝に設置されることが好ましい。
【００１４】
かかる位置調整式手工具ホルダにおいて、
前記係合構造における第一係合部は、位置決めプレートの前側の中央部分に凹設される細長状の係合溝であり、一方、該第二係合部は、摺動座の後側に凸設される係合溝に係合する係合リブであり、これにより、位置決め部材を位置決めプレートに位置決めてレール部材に対する摺動を防止することが好ましい。
【００１５】
かかる位置調整式手工具ホルダにおいて、さらに、レール延設部材及び位置決め延設プレートを有し、
そのうち、該レール延設部材は、レール部材と平行するように連結板を介してレール部材に組み合わされると共に、メインプレート及び摺動レールを備え、該摺動レールは、該メインプレートの前側に凸設され、前開口及び該前開口と連通する摺動溝を備え、
前記位置決め延設プレートは、レール延設部材に嵌め込まれ、長手方向の両側から中央部分へ行くにつれて表面側へ膨らむように湾曲して摺動溝１２２に向かって延出し、
前記レール部材及びレール延設部材における結合レールの近傍にそれぞれ結合穴が形成され、
前記位置決めプレート、位置決め延設プレートの一端は封止状態であり、該封止端の底面に係合凸部が凸設され、該係合凸部はそれぞれ、対応するレール部材、レール延設部材の結合穴に係合されることが好ましい。
【００１６】
かかる位置調整式手工具ホルダにおいて、
前記各位置決め部材における摺動座は、矩形のブロックであり、回転不能にレール部材またはレール延設部材に設置され、延出部は、該摺動座に凸設される中空状のブロックであり、少なくとも１つの工具穴と、工具溝と、スリットを備え、そのうち、少なくとも１つの工具穴が延出部の両側の壁に形成されて、スクリュードライバの棒体を挟持し、該工具溝は、工具穴と連通するように延出部の両側の壁に形成され、該スリットは、工具穴と連通するように、延出部における、工具溝と反対する側の前端面かつ両側の壁に形成されることが好ましい。
【００１７】
かかる位置調整式手工具ホルダにおいて、さらに、前記レール部材に組み合わされるフレームを有し、該フレームは、第一支持台と、２つの支持フレームと、２つの挟持板と、第二支持台とを備え、該第一支持台は、レール部材の一端に取り付けられ、該２つの支持フレームはそれぞれ、レール部材の両側に位置しながら第一支持台に結合され、該挟持板は、２つの支持フレームに取り付けられ、該挟持板の上面に支持フレームに向かって延出する複数の挟持爪が設けられ、該第二支持台は、両側の該支持フレームと連接するようにレール部材の他端に取り付けられ、また、該第二支持台の長さは該第一支持台の長さよりも長く、第一支持台と、第二支持台と、２つの支持フレームとにより台形のフレームが構成されることが好ましい。
【００１８】
かかる位置調整式手工具ホルダにおいて、前記各位置決め部材における摺動座は、矩形のブロックであり、回転不能にレール部材またはレール延設部材に設置され、延出部は、該摺動座の前側に凸設される弾性アームであり、湾曲部及び制限部を備え、その内、湾曲部は、摺動レールに突出する自由端を有し、摺動座の前側に湾曲状に凸設され、該制限部は、湾曲部の自由端に凸設されることが好ましい。
【発明の効果】
【００１９】
上述したように、本発明に係る位置調整式手工具ホルダによれば、以下に示すようなメリットを有する。
１.本発明の位置調整式手工具ホルダを使用する時は、位置決め部材と位置決めプレートまたは位置決め延設プレートとの間の係合構造によって、位置決め部材が位置決めプレートに当接させるように結合されていることから、該各位置決め部材に嵌められているソケットをレール部材に対して時計回りまたは逆時計回り回転させてソケットの寸法マークを同一の方向に調整できるだけでなく、該各位置決め部材におけるソケットを同一の方向に回転させると、その係合構造における第二係合部が第一係合部に係合することによって、位置決め部材をレール部材に穏やかに位置決めることができる。
故に、各ソケットが自重により位置決め部材に伴いレール部材に対して摺動することはないと共に、使用者も一目でソケットの寸法マークを確認することができる。
【００２０】
２.使用者が下方のソケット（小さいサイズ）を取り外しても、上方のソケット（大きいサイズ）が下方へ摺動することはないので、ソケットが嵌め込まれる位置決め部材とソケットが嵌め込まれる位置決め部材との距離が変わることはない。故に、ソケットを嵌め戻す時に、ソケットを上方へ押し上げる必要はないことから、ソケットを簡単に位置決め部材に嵌め戻すことができるので、ソケットの使用や収納が非常に便利である。
【００２１】
３.本発明の位置調整式手工具ホルダでは、各位置決め部材にそれぞれ、構成が異なる延出部が設置されていることから、使用者の需要に応じて、タイプまたは寸法が異なる様々な手工具を収納することができると共に、挿設座や、挟持アーム、中空状のブロック、弾性アームなどの構成を有することから、ペンチや、ハイブリッドレンチ、モンキーレンチ、ソケットレンチ、六角レンチ、スクリュードライバなどの手工具を同時に収納することができる。
【図面の簡単な説明】
【００２２】
【図１】本発明に係る第一実施例の斜視図である。
【図２】本発明に係る第一実施例の分解斜視図である。
【図３】本発明に係る第一実施例の部分拡大正面断面図である。
【図４】本発明に係る第一実施例の部分拡大側面断面図である。
【図５】本発明に係る第一実施例においての操作状態を示す正面図である。
【図６】本発明に係る第二実施例の斜視図である。
【図７】本発明に係る第二実施例の部分拡大分解斜視図である。
【図８】本発明に係る第二実施例の部分拡大側面断面図である。
【図９】本発明に係る第二実施例においての手工具の収納状態を示す斜視図である。
【図１０】本発明に係る第三実施例の部分拡大分解斜視図である。
【図１１】本発明に係る第四実施例の斜視図である。
【図１２】本発明に係る第四実施例の分解斜視図である。
【図１３】本発明に係る第四施例においての、手工具の収納状態を示す斜視図である。
【図１４】本発明に係る第五実施例の斜視図である。
【図１５】本発明に係る第五実施例の部分拡大分解斜視図である。
【図１６】本発明に係る第五実施例においての、手工具の収納状態を示す斜視図である。
【図１７】既存の手工具ホルダの正面図である。
【発明を実施するための形態】
【００２３】
図１乃至図４に示すように、本発明に係る位置調整式手工具ホルダは、レール部材１０と、位置決めプレート２０と、少なくとも１つの位置決め部材３０と、係合構造４０を有する。
【００２４】
前記レール部材１０は、アルミ押出型材を用いてなり、上下方向に設置され、メインプレート１１と、摺動レール１２と、結合レール１３と、封止レール１４とを備え、そのうち、該メインプレート１１は、矩形のプレートであり、該摺動レール１２は、メインプレート１１の前側に凸設され、前側に前開口１２１が形成されると共に、内側面に該前開口１２１と連通する摺動溝１２２が形成され、該結合レール１３は、メインプレート１１の後側に凸設され、連通開口１３１及び結合溝１３２を備え、該連通開口１３１は、摺動溝１２２と連通するようにメインプレート１１の後側に形成され、該結合溝１３２は、連通開口１３１と連通するように結合レール１３とメインプレート１１との間に形成され、その結合レール１３の連通開口１３１の幅は摺動レール１２の前開口１２１の幅よりも小さく、該封止レール１４は、結合レール１３の外部をカバーするようにメインプレート１１の後側に凸設され、その底部に後開口１４１が形成される。尚、前記封止レール１４は、摺動レール１２と一体に成形されることが好ましい。
【００２５】
前記位置決めプレート２０は、弾性を備えたプレートであり、レール部材１０の結合レール１３に取り付けられ、長手方向の両側にそれぞれ、結合レール１３に嵌め込まれる結合バー２１が設けられ、また、該位置決めプレート２０は、長手方向の両側から中央部分へ行くにつれて表面側へ膨らむように湾曲し、結合レール１３の連通開口１３１から突出する。
さらに、前記位置決めプレート２０の後側の中央部分に、結合レール１３の結合溝１３２と連通する上下方向の凹部２２が凹設され、この凹部２２が、該位置決めプレート２０の中央部分と結合レール１３との間に隙間を構成し、該位置決めプレート２０の中央部分を弾性変形によって変形させるための空間となる。
【００２６】
前記少なくとも１つの位置決め部材３０は、摺動可能かつ回転可能にレール部材１０に設置され、摺動座３１及び延出部３２を備え、そのうち、摺動座３１は、円形のプレート状を呈し、位置決めプレート２０と当接しながら、摺動レール１２の摺動溝１２２に嵌設され、該延出部３２は、手工具を保持するものであり、摺動レール１２の摺動溝１２２から突出するように摺動座３１の前側に凸設される。
なお、本発明の第一実施例においては、各位置決め部材３０の延出部３２が中空の方形柱の挿設座であり、該挿設座の１つの側面に係合ボタン３２１が凸設され、また、レール部材１０に、位置決めプレート２０と当接する複数の位置決め部材３０が設置される。
【００２７】
前記係合構造４０は、位置決めプレート２０と位置決め部材３０との間に設置され、この構成によれば、位置決め部材３０が位置決めプレート２０に位置決めされるので、レール部材１０に対して摺動することはない。また、前記係合構造４０には、少なくとも１つの第一係合部４１及び第二係合部４２を有し、その内、第一係合部４１は弧状の係合溝であり、位置決めプレート２０の前側中央に形成される。尚、前記位置決めプレート２０は、複数の第一係合部４１が間隔をおいて形成されることが好ましい。それによれば、該位置決めプレート２０に複数の係合溝が間隔をおいて形成される。
該第二係合部４２は、掛け部材３０の摺動座３１の底部に凸設される係合リングであり、選択可能にそれらの第一係合部４１のうちの１つに係合される。該係合構造４０における係合リングが係合溝に係合することによって、掛け部材３０を位置決めプレート２０に位置決めることができる。
【００２８】
図４に示すように、前記係合構造４０における、隣り合う２つの係合溝の距離はｄであり、係合リングの内径がＤであり、ｄとＤとは、５ｄ＜Ｄ＜６ｄとの関係を有する。そのため、前記係合リングにおける一部が該係合溝に嵌め込まれると共に、他の一部が位置決めプレート２０の前側の中央部分に当接する。つまり、前記係合リングが位置決めプレート２０に当接することによって、該係合リングの係合溝への係合効果が上昇するので、該少なくとも１つの位置決め部材３０が位置決めプレート２０を介してレール部材１０にしっかりと保持される。
【００２９】
図４及び図５に示すように、本発明の位置調整式手工具ホルダの第一実施例では、複数のソケット６０（大きいサイズ）、６１（小さいサイズ）をそれぞれ対応する位置決め部材３０の挿設座に嵌め込む時、その挿設座の係合ボタン３２１がソケット６０、６１の内周面の凹部に嵌め込まれるため、ソケット６０、６１を位置決め部材３０の挿設座に位置決めさせることができる。また、ソケット６０、６１の寸法マークが使用者側に位置していない場合には、図５に示すように、ソケット６０、６１をレール部材１０に対して時計回りまたは逆時計回りに回転させ、その対応する位置決め部材３０の摺動座３１をソケット６０、６１に伴い位置決めプレート２０に対して回転する。
【００３０】
前記位置決め部材３０を、ソケット６０、６１と共に寸法マークが同一方向に位置するように回転させると、その係合構造４０における、位置決め部材３０の係合リングが位置決めプレート２０の係合溝に係合することによって、位置決め部材３０をレール部材１０にしっかりと保持することができるので、ソケット６０、６１が自重で位置決め部材３０と共にレール部材１０に対して摺動することはないと共に、使用者は一目でソケット６０、６１の寸法を確認することができる。
また、この構成によれば、使用者が下方のソケット６１（小さいサイズ）を取り外しても上方のソケット６０（大きいサイズ）が下方へ摺動することはないので、ソケット６０を嵌めこんだ掛け部材３０とソケット６１を嵌め込んだ位置決め部材３０との距離が変わることはない。故に、下方のソケット６１を使用した後に、再度嵌め戻す場合、上方のソケット６０を押し上げる必要はないので、非常に便利である。
【００３１】
図６及び図７に示すように、本発明の位置調整式手工具ホルダの第二実施例では、図１乃至図４に示すように、第一実施例と異なる点を有する。以下、その説明を行う。
本発明の位置調整式手工具ホルダの第二実施例では、少なくとも１対の位置決め部材３０Ｂを有し、該各位置決め部材３０Ｂは、摺動座３１Ｂ及び延出部３２Ｂを備え、その内、摺動座３１Ｂは、矩形のブロックであり、回転不能に摺動レール１２の摺動溝１２２に設置され、該延出部３２Ｂは、摺動座３１Ｂに凸設される挟持アームであり、該挟持アームの自由端は、前開口１２１を通過して摺動レール１２から突出し、該自由端にフック３２２Ｂが設けられ、さらに、該各対の位置決め部材３０Ｂのフック３２２Ｂが対向するように設けられると共に、該各対の位置決め部材３０Ｂの挟持アームの間に挟持空間が形成される。
【００３２】
前記係合構造４０Ｂは、位置決めプレート２０と各対の位置決め部材３０との間に設置され、第一係合部４１Ｂ及び第二係合部４２Ｂを備え、その内、第一係合部４１Ｂは、位置決めプレート２０の前側の中央部分に凹設される細長状の係合溝であり、一方、該第二係合部４２Ｂは、摺動座３１Ｂの後側に凸設される係合溝に係合する係合リブであり、これにより、位置決め部材３０Ｂを位置決めプレート２０に位置決めて、レール部材１０に対する摺動を防止する
【００３３】
さらに、図９に示すように、本発明の第二実施例では、ペンチ７０や、ハイブリッドレンチ７１、モンキーレンチ７２、ソケットレンチ７３、六角レンチ７４、スクリュードライバ７５などの手工具を収納する時、その手工具をそのうちの１対の位置決め部材３０Ｂにおける２つの挟持アームの間の挟持空間に嵌め込み、該対の位置決め部材３０Ｂの２つのフック３２２Ｂで手工具を保持することにより、位置決め部材３０Ｂからの脱落を防止する。
さらに、前記対の位置決め部材３０Ｂにおける２つの挟持アームの間の挟持空間は、レール部材１０に対して２つの摺動座３１Ｂを位置決めプレート２０に沿って摺動させることにより、適当に調整することができ、その挟持空間を適当に調整した後、該対の位置決め部材３０を係合構造４０Ｂによってしっかりと位置決めプレート２０に位置決めることができる。故に、タイプの異なる手工具であっても、しっかりと位置決め部材３０Ｂに嵌め込んでレール部材１０に収納することができるので、実用性に優れている。
【００３４】
図１０に示すように、本発明の位置調整式手工具ホルダの第三実施例は、図６乃至図９に示すように第二実施例と一部異なる。以下、その説明を行う。
係合構造４０Ｃにおける第一係合部４１Ｃは、位置決めプレート２０の前側の中央部分に凸設される係合リブであり、一方、第二係合部４２Ｃは、該係合リブに係合するように摺動座３１Ｃの後側に凹設される係合溝であり、この構成によれば、位置決め部材３０Ｃが位置決めプレート２０に位置決められるので、レール部材１０に対して摺動することはない。また、第三実施例の操作方法は第二実施例と同一であることから、ここでは説明を省略する。
【００３５】
図１１及び図１２に示すように、本発明の位置調整式手工具ホルダの第四実施例は、図１乃至図４に示すように第一実施例と異なる。以下、その説明を行う。
本発明の位置調整式手工具ホルダの第四実施例はさらに、レール延設部材１０Ｄ及び位置決め延設プレート２０Ｄを有し、その内、レール延設部材１０Ｄは、レール部材１０と殆ど同一であり、レール部材１０と平行するように連結板１５Ｄを介してレール部材１０に組み合わされ、レール部材１０及びレール延設部材１０Ｄにおける結合レール１３、１３Ｄの近傍にそれぞれ結合穴１６、１６Ｄが形成され、一方、前記位置決め延設プレート２０Ｄは、位置決めプレート２０の構造と殆ど同一であり、レール延設部材１０Ｄに嵌め込まれ、それら位置決めプレート２０、位置決め延設プレート２０Ｄの一端は封止端であり、該封止端の底面に係合凸部２３、２３Ｄが凸設される。尚、位置決めプレート２０と位置決め延設プレート２０Ｄとを組み合わせる時は、位置決めプレート２０と位置決め延設プレート２０Ｄとの係合凸部２３、２３Ｄをそれぞれ、対応するレール部材１０、レール延設部材１０Ｄの結合穴１６、１６Ｄに係合することにより、位置決めプレート２０、位置決め延設プレート２０Ｄをレール部材１０、レール延設部材１０Ｄにしっかりと設置することができる。
【００３６】
前記少なくとも１つの位置決め部材３０Ｄは、レール部材１０またはレール延設部材１０Ｄに設置され、該各位置決め部材３０Ｄは、摺動座３１Ｄ及び延出部３２Ｄを備え、該摺動座３１Ｄは、矩形のブロックであり、回転不能にレール部材１０またはレール延設部材１０Ｄに設置され、該延出部３２Ｄは、摺動座３１Ｄに凸設される中空状のブロックであり、少なくとも１つの工具穴３２３Ｄと、工具溝３２４Ｄと、スリット３２５Ｄを備え、そのうち、少なくとも１つの工具穴３２３Ｄが延出部３２Ｄの両側の壁に形成されて、図１３に示すように、スクリュードライバ７５の棒体７５１を挟持し、該工具溝３２４Ｄは、工具穴３２３Ｄと連通するように延出部３２Ｄの両側の壁に形成され、該スリット３２５Ｄは、工具穴３２３Ｄと連通するように、延出部３２Ｄにおける、工具溝３２４Ｄと反対する側の前端面かつ両側の壁に形成される。
【００３７】
図１３に示すように、本発明の第四実施例において、スクリュードライバ７５の棒体７５１を固定する場合、互いに対応するレール部材１０の位置決め部材３０Ｄ及びレール延設部材１０Ｄの位置決め部材３０Ｄに嵌め込めばよく、この時、該２つの位置決め部材３０Ｄにおける延出部３２Ｄの工具溝３２４Ｄは位置的に互いに対応していることから、スクリュードライバ７５の棒体７５１を位置決め部材３０Ｄのスリット３２５Ｄから工具穴３２３Ｄへ導き保持することができる。故に、前記２つの位置決め部材３０Ｄは、位置決めプレート２０、位置決め延設プレート２０Ｄとそれぞれ対応する２つの位置決め部材３０Ｄとの間の係合構造４０Ｄによって、しっかりとレール部材１０、レール延設部材１０Ｄに設置されることから、スクリュードライバ７５などの手工具を確実に収納することができるので、実用性に優れている。
【００３８】
図１４及び図１５に示すように、本発明の位置調整式手工具ホルダの第五実施例は、図１乃至図４に示すように第一実施例と異なる。以下、その説明を行う。
本発明の位置調整式手工具ホルダの第五実施例はさらに、レール部材１０に組み合わされるフレーム５０を有し、該フレーム５０は、第一支持台５１と、２つの支持フレーム５２と、２つの挟持板５３と、第二支持台５４とを備え、該第一支持台５１は、レール部材１０の一端に取り付けられ、取っ手として第一支持台５１を持ち上げることができ、該２つの支持フレーム５２はそれぞれ、レール部材１０の両側に位置しながら第一支持台５１に結合され、該挟持板５３は、２つの支持フレーム５２に取り付けられ、該挟持板５３の上面に支持フレーム５２に向かって延出する複数の挟持爪５３１が設けられ、該第二支持台５４は、両側の支持フレーム５２と連接するようにレール部材１０の他端に取り付けられ、また、その第二支持台５４の長さは第一支持台５１の長さよりも長く、第一支持台５１と、第二支持台５４と、２つの支持フレーム５２とにより台形のフレーム５０が構成される。
【００３９】
前記少なくとも１つの位置決め部材３０Ｅが回転不能にレール部材１０に設置され、各位置決め部材３０Ｅは、摺動座３１Ｅ及び延出部３２Ｅを備え、該摺動座３１Ｅは矩形のブロックであり、回転不能にレール部材１０の摺動レール１２に設置され、該延出部３２Ｅは、摺動座３１Ｅの前側に凸設される弾性アームであり、湾曲部３２６Ｅ及び制限部３２７Ｅを備え、その内、湾曲部３２６Ｅは、摺動レール１２に突出する自由端を有し、摺動座３１Ｅの前側に湾曲状に凸設され、該制限部３２７Ｅは、湾曲部３２６Ｅの自由端に凸設される。この構成によれば、図１６に示すように、ハイブリッドレンチ７１を掛止して収納することができる。
【００４０】
前記係合構造４０Ｅは、位置決めプレート２０と位置決め部材３０Ｅとの間に設置されると共に、第一係合部４１Ｅ及び第二係合部４２Ｅを備え、その内、第一係合部４１Ｅは、位置決めプレート２０における前側中央部に凹設される細長状の係合溝であり、該第二係合部４２Ｅは、該係合溝に係合するように、摺動座３１Ｂの後側に凸設される係合リブであり、この構成によれば、位置決め部材３０Ｅが位置決めプレート２０にしっかりと位置決められるので、レール部材１０に対して摺動することはない。
【００４１】
図１６に示すように、本発明の位置調整式手工具ホルダの第五実施例を実施する時は、寸法が異なるハイブリッドレンチ７１をそれぞれ２つの挟持板５３の挟持爪５３１に嵌め込むだけでよく、また、各位置決め部材３０Ｅにおける延出部３２Ｅのレール部材１０に対する位置も、位置決め部材３０Ｅと位置決めプレート２０との間における係合構造４０Ｅの第一係合部４１Ｅと第二係合部４２Ｅとを離間させることによって調整することができ、すなわち、該位置決め部材３０Ｅをレール部材１０に対して摺動させることにより調整することができる。更に、前記位置決め部材３０Ｅの弾性アームが制限部３２７Ｅを介して、対応するハイブリッドレンチ７１に当接すると共に、湾曲部３２６Ｅを介してハイブリッドレンチ７１とより接近させて押し付けることから、寸法が異なるハイブリッドレンチ７１をしっかりとレール部材１０及びフレーム５０に収納することができるので、実用性を大幅に向上できる。
【００４２】
本発明の位置調整式手工具ホルダは、上述した構造によれば、位置決め部材３０、３０Ｂ、３０Ｃ、３０Ｄ、３０Ｅと位置決めプレート２０及び位置決め延設プレート２０Ｄとの間の係合構造４０、４０Ｂ、４０Ｃ、４０Ｅによって、位置決め部材３０、３０Ｂ、３０Ｃ、３０Ｄ、３０Ｅを位置決めプレート２０に当接させてしっかりと結合することができる。
更に、前記各位置決め部材３０に嵌め込まれているソケット６０、６１をレール部材１０に対して時計回りまたは逆時計回り回転させてソケット６０、６１の寸法マークを同一方向に調整するだけではなく、各位置決め部材３０におけるソケット６０、６１を回転させる過程において、ソケット６０、６１を同一方向に回転させると、位置決めプレート２０と位置決め部材３０との間の係合構造４０により、位置決め部材３０の第二係合部４２が位置決めプレート２０の第一係合部４１に係合されるので、位置決め部材３０をレール部材１０にしっかりと位置決めることができる。
故に、前記各ソケット６０、６１が自重によって位置決め部材３０に伴ってレール部材１０に対して摺動することはないと共に、使用者も一目でソケット６０、６１の寸法マークを確認することができる。
【００４３】
また、使用者が下方のソケット６１（小さいサイズ）を取り外しても、上方のソケット６０（大きいサイズ）が下方へ摺動することはないことから、ソケット６０が嵌め込まれた位置決め部材３０とソケット６１が嵌め込まれた位置決め部材３０との距離も変わることはない。故に、ソケット６１を再び収納する場合、ソケット６０を上方へ引き上げずに、ソケット６１を簡単に位置決め部材３０に嵌め込むことができるので使用上非常に便利である。
【００４４】
さらに、本発明における各位置決め部材３０、３０Ｂ、３０Ｃ、３０Ｄ、３０Ｅにはそれぞれ、構成が異なる延出部３２、３２Ｂ、３２Ｄ、３２Ｅを有することから、使用者の需要に応じて、タイプや寸法が異なる様々な手工具を収納することができる。
更に、本発明の位置調整式手工具ホルダには、挿設座や、挟持アーム、中空状のブロック、弾性アームなどの構成を有することから、ペンチ７０や、ハイブリッドレンチ７１、モンキーレンチ７２、ソケットレンチ７３、六角レンチ７４、スクリュードライバ７５などの手工具を同時に収納することができる。さらに、そのレール部材１０に組み合わされるフレーム５０を有すれば、タイプまたは寸法が異なる手工具を収納できて、実用性を大幅に向上させる。
【符号の説明】
【００４５】
１０  レール部材
１０Ｄ  レール延設部材
１１  メインプレート
１２  摺動レール
１２１  前開口
１２２  摺動溝
１３、１３Ｄ  結合レール
１３１  連通開口
１３２  結合溝
１４  封止レール
１５Ｄ  連結板
１６、１６Ｄ  結合穴
２０、２０Ｄ  位置決めプレート
２１  結合バー
２２  凹部
２３、２３Ｄ  係合凸部
３０、３０Ｂ、３０Ｃ、３０Ｄ、３０Ｅ  位置決め部材
３１、３１Ｂ、３１Ｃ、３１Ｄ、３１Ｅ  摺動座
３２、３２Ｂ、３２Ｄ、３２Ｅ  延出部
３２１  係合ボタン
３２２Ｂ  フック
３２３Ｄ  工具穴
３２４Ｄ  工具溝
３２５Ｄ  スリット
３２６Ｅ  湾曲部
３２７Ｅ  制限部
４０、４０Ｂ、４０Ｃ、４０Ｄ、４０Ｅ  係合構造
４１、４１Ｂ、４１Ｃ、４１Ｅ  第一係合部
４２、４２Ｂ、４２Ｃ、４２Ｅ  第二係合部
５０  フレーム
５１  第一支持台
５２  支持フレーム
５３  挟持板
５３１  挟持爪
５４  第二支持台
６０、６１  ソケット
７０  ペンチ
７１  ハイブリッドレンチ
７２  モンキーレンチ
７３  ソケットレンチ
７４  六角レンチ
７５  スクリュードライバ
７５１  棒体
【図１】
0006268211.tif 000002
【図２】
0006268211.tif 000003
【図３】
0006268211.tif 000004
【図４】
0006268211.tif 000005
【図５】
0006268211.tif 000006
【図６】
0006268211.tif 000007
【図７】
0006268211.tif 000008
【図８】
0006268211.tif 000009
【図９】
0006268211.tif 000010
【図１０】
0006268211.tif 000011
【図１１】
0006268211.tif 000012
【図１２】
0006268211.tif 000013
【図１３】
0006268211.tif 000014
【図１４】
0006268211.tif 000015
【図１５】
0006268211.tif 000016
【図１６】
0006268211.tif 000017
【図１７】
0006268211.tif 000018